(57)【要約】【課題】装着時に連結機構が頭部に接触しにくいヘッドマウントディスプレイおよび装着具を提供する。【解決手段】連結機構８の係合部８４は、装着具５の位置１５Ｂに設けた取付部５９に固定される。係合部８４は、上壁の両端に接続する内側壁と外側壁とで取付部５９を厚み方向に挟み、装着具５にネジ止めされる。係合部８４は、装着具５の内面よりも突出量Ｐ１分、領域１０内に突出する。突出量Ｐ１は、中前部分５３に設けたパッド７５が内面７２から領域１０内へ向けて厚み方向に突出する突出量Ｐ２より小さい。突出量Ｐ１は、左後部分５７に形成された突出部６７が領域１０内へ向けて厚み方向に突出する突出量Ｐ３より小さい。突出量Ｐ１は、突出部６７の突出先端に位置する左後部分５７の内面７１から領域１０内へ向けて厚み方向に突出する突出量Ｐ４より小さい。よって係合部８４は、ＨＭＤ１の装着時、使用者の頭部に接触しにくい。【選択図】図２
2016063272.tif 000002
【特許請求の範囲】
【請求項１】
第一位置と、前記第一位置よりも第一方向の一方側に位置する第二位置との間で延びる第一部分と、
前記第一位置に対して前記第一方向に直交する第二方向の一方に位置する第三位置と、前記第二位置に対して前記第二方向の一方に位置し、且つ前記第三位置よりも前記第一方向の一方側に位置する第四位置との間で延びる第二部分と、
前記第一位置と前記第三位置との間および前記第二位置と前記第四位置との間のうち少なくとも一方の間で延び、前記第一部分および前記第二部分の夫々に連続する第三部分と
を備え、少なくとも一部が、前記第一部分、前記第二部分および前記第三部分によって取り囲まれる領域の外側へ向けて凸状に湾曲する装着具と、
前記装着具の前記第一方向における中央の位置よりも前記第一方向一方側の部分で、前記装着具の前記第一方向一方側の端部である先端部を含む部分において前記領域内を向く面に設けられ、前記領域内を向く面から離間する離間方向に突出する第一当て部と、
画像を表示する画像表示装置と、
一端部が、前記装着具の前記第一方向における中央の位置よりも前記第一方向一方側の位置で、前記第一当て部が設けられた部分よりも前記第二方向一方側の特定位置において前記装着具に連結され、他端部が前記画像表示装置に連結されるアーム部と、
前記装着具の前記特定位置と前記アーム部の前記一端部とを連結する連結機構であって、
前記アーム部の前記一端部に接続する接続部と、
前記装着具の前記特定位置に係合し、前記離間方向に前記装着具から突出する第一突出量が、前記第一当て部が前記離間方向に前記装着具から突出する第二突出量よりも小さい係合部と
を有する連結機構と
を備えたことを特徴とするヘッドマウントディスプレイ。
【請求項２】
前記装着具の前記第二部分で、前記特定位置よりも前記第一方向他方側の部分の少なくとも一部において、前記領域内を向く面に設けられ、前記離間方向に突出する第二当て部と、
前記装着具の前記第一部分の少なくとも一部において前記領域内を向く面に設けられ、前記離間方向に突出する第三当て部と
を更に備え、
前記連結機構の前記係合部は、前記第一突出量が、前記第二当て部が前記離間方向に前記装着具から突出する第三突出量よりも小さいことを特徴とする請求項１に記載のヘッドマウントディスプレイ。
【請求項３】
前記装着具は、前記第二当て部が設けられた部分よりも前記第一当て部が設けられた部分に近い位置に、前記特定位置を有することを特徴とする請求項２に記載のヘッドマウントディスプレイ。
【請求項４】
前記装着具の前記第二部分で、前記特定位置よりも前記第一方向他方側へ所定距離離れた位置から、前記第一方向他方側の端部の位置までの部分には、前記離間方向に突出する突出部が形成され、
前記第二当て部は、前記突出部の少なくとも一部において前記領域内を向く面に設けられ、前記離間方向に突出し、
前記連結機構の前記係合部は、前記第一突出量が、前記突出部が前記離間方向に突出する第四突出量よりも小さいこと
を特徴とする請求項２または３に記載のヘッドマウントディスプレイ。
【請求項５】
前記装着具の前記特定位置には、前記係合部を位置決めする位置決め部が形成されたことを特徴とする請求項１から４のいずれかに記載のヘッドマウントディスプレイ。
【請求項６】
前記連結機構は、前記アーム部が前記装着具に対して二軸以上の回転自由度を有した状態で前記装着具と前記アーム部とを連結することを特徴とする請求項１から５のいずれかに記載のヘッドマウントディスプレイ。
【請求項７】
前記装着具の前記第三部分は、前記第二位置と前記第四位置との間で延び、前記第一部分と前記第二部分の夫々に連続することを特徴とする請求項１から６のいずれかに記載のヘッドマウントディスプレイ。
【請求項８】
前記第一部分は、
前記第一位置と、前記第一位置よりも前記第一方向一方側且つ前記第二方向他方側に位置する第五位置との間で延びる第四部分と、
前記第五位置と、前記第五位置よりも前記第一方向一方側且つ前記第二方向一方側に位置する前記第二位置との間で延び、前記第四部分に連続する第五部分と
を有し、
前記第二部分は、
前記第三位置と、前記第三位置よりも前記第一方向一方側且つ前記第二方向一方側に位置する第六位置との間で延びる第六部分と、
前記第六位置と、前記第六位置よりも前記第一方向一方側且つ前記第二方向他方側に位置する前記第四位置との間で延び、前記第六部分に連続する第七部分と
を有すること
を特徴とする請求項１から７のいずれかに記載のヘッドマウントディスプレイ。
【請求項９】
画像を表示する画像表示装置を装着するための装着具であって、
第一位置と、前記第一位置よりも第一方向の一方側に位置する第二位置との間で延びる第一部分と、
前記第一位置に対して前記第一方向に直交する第二方向の一方に位置する第三位置と、前記第二位置に対して前記第二方向の一方に位置し、且つ前記第三位置よりも前記第一方向の一方側に位置する第四位置との間で延びる第二部分と、
前記第一位置と前記第三位置との間および前記第二位置と前記第四位置との間のうち少なくとも一方の間で延び、前記第一部分および前記第二部分の夫々に連続する第三部分と
を備え、
少なくとも一部が、前記第一部分、前記第二部分および前記第三部分によって取り囲まれる領域の外側へ向けて凸状に湾曲し、更に、
前記第一方向における中央の位置よりも前記第一方向一方側の部分で、前記第一方向一方側の端部である先端部を含む部分において前記領域内を向く面に、前記領域内を向く面から離間する離間方向に突出する第一当て部が設けられ、
一端部とは反対側の他端部が前記画像表示装置に連結されるアーム部の前記一端部に接続する接続部と、前記離間方向に突出する第一突出量が、前記第一当て部が前記離間方向に突出する第二突出量よりも小さい係合部とを有する連結機構の前記係合部が、前記第一方向における中央の位置よりも前記第一方向一方側の位置で、前記第一当て部が設けられた部分よりも前記第二方向一方側の特定位置に係合されること
を特徴とする装着具。
【発明の詳細な説明】
【技術分野】
【０００１】
本発明は、画像表示装置を頭部に装着するヘッドマウントディスプレイおよび装着具に関する。
【背景技術】
【０００２】
画像表示装置を取り付けた装着具を使用者の頭部に装着し、使用者の眼に画像を提示するヘッドマウントディスプレイ（以下、「ＨＭＤ」という。）が知られている。画像表示装置と装着具は、アーム部を介して連結される。アーム部は、装着具に設けた連結機構によって保持されて自在に揺動し、装着時に画像表示装置の配置位置を変更することができる。特許文献１に記載のＨＭＤ（映像付与装置）には、連結機構（支持ブロック）の上部に穴部が形成されている。
【先行技術文献】
【特許文献】
【０００３】
【特許文献１】特開２００７−２５１５９３号公報
【発明の概要】
【発明が解決しようとする課題】
【０００４】
例えば、特許文献１において、装着具にねじ穴が設けられる。支持ブロックに設けられた穴部を挿通するボルトがねじ穴に締結すれば、連結機構は装着具に固定される。しかし、ＨＭＤの軽量化を図るため、装着具の材質を変更したり、装着具の厚みを薄くしたりする場合、ねじ穴の形成に必要な剛性が得られにくくなる可能性がある。このような場合、例えば、装着具を径方向に挟んで固定する形態の連結機構を設けることが考えられる。
【０００５】
しかしながら、装着具を挟む形態の連結機構は、装着具の内周側に位置する部分が、装着時に使用者の頭部に接触する可能性があった。
【０００６】
本発明は、装着時に連結機構が頭部に接触しにくいヘッドマウントディスプレイおよび装着具を提供することを目的とする。
【課題を解決するための手段】
【０００７】
本発明の第一態様によれば、第一位置と、前記第一位置よりも第一方向の一方側に位置する第二位置との間で延びる第一部分と、前記第一位置に対して前記第一方向に直交する第二方向の一方に位置する第三位置と、前記第二位置に対して前記第二方向の一方に位置し、且つ前記第三位置よりも前記第一方向の一方側に位置する第四位置との間で延びる第二部分と、前記第一位置と前記第三位置との間および前記第二位置と前記第四位置との間のうち少なくとも一方の間で延び、前記第一部分および前記第二部分の夫々に連続する第三部分とを備え、少なくとも一部が、前記第一部分、前記第二部分および前記第三部分によって取り囲まれる領域の外側へ向けて凸状に湾曲する装着具と、前記装着具の前記第一方向における中央の位置よりも前記第一方向一方側の部分で、前記装着具の前記第一方向一方側の端部である先端部を含む部分において前記領域内を向く面に設けられ、前記領域内を向く面から離間する離間方向に突出する第一当て部と、画像を表示する画像表示装置と、一端部が、前記装着具の前記第一方向における中央の位置よりも前記第一方向一方側の位置で、前記第一当て部が設けられた部分よりも前記第二方向一方側の特定位置において前記装着具に連結され、他端部が前記画像表示装置に連結されるアーム部と、前記装着具の前記特定位置と前記アーム部の前記一端部とを連結する連結機構であって、前記アーム部の前記一端部に接続する接続部と、前記装着具の前記特定位置に係合し、前記離間方向に前記装着具から突出する第一突出量が、前記第一当て部が前記離間方向に前記装着具から突出する第二突出量よりも小さい係合部とを有する連結機構とを備えたことを特徴とするヘッドマウントディスプレイが提供される。
【０００８】
第一態様に係るヘッドマウントディスプレイ（ＨＭＤ）は、例えば、第二方向を左右方向へ向け、第一方向の一方側を前側にして使用者の頭部に装着される。第一当て部は、使用者の前頭部に当接する。装着具において画像表示装置およびアーム部が接続される特定位置は、使用者の前頭側頭部に位置する。特定位置に係合する連結機構の係合部が領域内側、即ちＨＭＤ装着時の頭部側に突出する第一突出量は、第一当て部が頭部側に突出する第二突出量よりも小さい。故に、係合部は、ＨＭＤの装着時に使用者の頭部に接触しにくい。
【０００９】
第一態様において、前記装着具の前記第二部分で、前記特定位置よりも前記第一方向他方側の部分の少なくとも一部において、前記領域内を向く面に設けられ、前記離間方向に突出する第二当て部と、前記装着具の前記第一部分の少なくとも一部において前記領域内を向く面に設けられ、前記離間方向に突出する第三当て部とを更に備えてもよい。前記連結機構の前記係合部は、前記第一突出量が、前記第二当て部が前記離間方向に前記装着具から突出する第三突出量よりも小さくてもよい。連結機構の係合部がＨＭＤ装着時の頭部側に装着具から突出する第一突出量は、第二当て部が頭部側に突出する第三突出量よりも小さい。特定位置は、第一当て部が設けられた部分と第二当て部が設けられた部分との間に位置する。故に、係合部は、ＨＭＤの装着時に使用者の頭部に接触しにくい。
【００１０】
第一態様において、前記装着具は、前記第二当て部が設けられた部分よりも前記第一当て部が設けられた部分に近い位置に、前記特定位置を有してもよい。ＨＭＤは、装着時に、第二当て部が設けられた部分と第三当て部が設けられた部分とで頭部を挟み、第二当て部と第三当て部を夫々後頭側頭部に当接させて押圧力を得ることで、頭部に装着される。これに対して第一当て部は前頭部に当接し、頭部において装着具を位置決めする。よって、第二当て部と第三当て部は、第一当て部よりも大きく弾性変形する可能性がある。故に、特定位置を第一当て部に近い位置に設けることで、係合部は、ＨＭＤの装着時に使用者の頭部に接触しにくい。
【００１１】
第一態様において、前記装着具の前記第二部分で、前記特定位置よりも前記第一方向他方側へ所定距離離れた位置から、前記第一方向他方側の端部の位置までの部分には、前記離間方向に突出する突出部が形成されてもよい。前記第二当て部は、前記突出部の少なくとも一部において前記領域内を向く面に設けられ、前記離間方向に突出してもよい。前記連結機構の前記係合部は、前記第一突出量が、前記突出部が前記離間方向に突出する第四突出量よりも小さくてもよい。係合部が頭部側に突出する第一突出量は、突出部が頭部側に突出する第四突出量よりも小さい。故に、突出部における装着具の内面に設けた第二当て部が装着時に弾性変形しても、突出部よりも突出量の小さな係合部は頭部に接触しにくい。
【００１２】
第一態様において、前記装着具の前記特定位置には、前記係合部を位置決めする位置決め部が形成されてもよい。係合部はＨＭＤの使用中に特定位置からずれたりすることがない。故に係合部は、ＨＭＤの装着時に使用者の頭部に接触しにくい。
【００１３】
第一態様において、前記連結機構は、前記アーム部が前記装着具に対して二軸以上の回転自由度を有した状態で前記装着具と前記アーム部とを連結してもよい。ＨＭＤの装着後に使用者に対する画像表示装置の配置位置が変更された場合、装着具はアーム部の揺動に伴うトルクを受けて、元の装着位置に対して位置ずれする可能性がある。第一当て部が係合部よりも頭部側に突出するので、装着具が位置ずれしても、係合部は使用者の頭部に接触しにくい。
【００１４】
第一態様において、前記装着具の前記第三部分は、前記第二位置と前記第四位置との間で延び、前記第一部分と前記第二部分の夫々に連続してもよい。装着具は、第一方向他方側が閉環し、第一方向一方側が開環する。ＨＭＤは、頭部に装着されるとき、装着具の開環側が広げられ、閉環側が位置決めされてから開環側で側頭部を押さえる形態で装着される。特定位置は第一方向中央の位置よりも一方側に位置し、即ち装着具の閉環する側に近い。故に、ＨＭＤは、閉環側に画像表示装置を配置するので、頭部に対する画像表示装置の位置決めを行いやすい。
【００１５】
第一態様において、前記第一部分は、前記第一位置と、前記第一位置よりも前記第一方向一方側且つ前記第二方向他方側に位置する第五位置との間で延びる第四部分と、前記第五位置と、前記第五位置よりも前記第一方向一方側且つ前記第二方向一方側に位置する前記第二位置との間で延び、前記第四部分に連続する第五部分とを有してもよい。前記第二部分は、前記第三位置と、前記第三位置よりも前記第一方向一方側且つ前記第二方向一方側に位置する第六位置との間で延びる第六部分と、前記第六位置と、前記第六位置よりも前記第一方向一方側且つ前記第二方向他方側に位置する前記第四位置との間で延び、前記第六部分に連続する第七部分とを有してもよい。ＨＭＤの装着時に、装着具は、各部分が使用者の頭部形状にフィットし、頭部を確実に保持するので、装着位置のずれが抑制される。
【００１６】
第二態様に係るＨＭＤは、例えば、第二方向を左右方向へ向け、第一方向の一方側を前側にして使用者の頭部に装着される。第一当て部は、使用者の前頭部に当接する。画像表示装置およびアーム部を装着具に接続する特定位置は、使用者の前頭側頭部に位置する。特定位置に係合する連結機構の係合部が領域内側、即ちＨＭＤ装着時の頭部側に突出する第一突出量は、第一当て部が頭部側に突出する第二突出量よりも小さい。故に、係合部は、ＨＭＤの装着時に使用者の頭部に接触しにくい。
【００１７】
本発明の第三態様によれば、画像を表示する画像表示装置を装着するための装着具であって、第一位置と、前記第一位置よりも第一方向の一方側に位置する第二位置との間で延びる第一部分と、前記第一位置に対して前記第一方向に直交する第二方向の一方に位置する第三位置と、前記第二位置に対して前記第二方向の一方に位置し、且つ前記第三位置よりも前記第一方向の一方側に位置する第四位置との間で延びる第二部分と、前記第一位置と前記第三位置との間および前記第二位置と前記第四位置との間のうち少なくとも一方の間で延び、前記第一部分および前記第二部分の夫々に連続する第三部分とを備え、少なくとも一部が、前記第一部分、前記第二部分および前記第三部分によって取り囲まれる領域の外側へ向けて凸状に湾曲し、更に、前記第一方向における中央の位置よりも前記第一方向一方側の部分で、前記第一方向一方側の端部である先端部を含む部分において前記領域内を向く面に、前記領域内を向く面から離間する離間方向に突出する第一当て部が設けられ、一端部とは反対側の他端部が前記画像表示装置に連結されるアーム部の前記一端部に接続する接続部と、前記離間方向に突出する第一突出量が、前記第一当て部が前記離間方向に突出する第二突出量よりも小さい係合部とを有する連結機構の前記係合部が、前記第一方向における中央の位置よりも前記第一方向一方側の位置で、前記第一当て部が設けられた部分よりも前記第二方向一方側の特定位置に係合されることを特徴とする装着具が提供される。
【００１８】
第三態様に係る装着具にアーム部を介して画像表示装置を取り付けたＨＭＤは、第一当て部が係合部よりも頭部側に突出するので、装着時に係合部が使用者の頭部に接触しにくい。
【図面の簡単な説明】
【００１９】
【図１】ＨＭＤ１を正面下方から見た斜視図である。
【図２】ＨＭＤ１の平面図である。
【図３】ＨＭＤ１の左側面図である。
【図４】画像表示部３を背面右上方から見た斜視図である。
【図５】画像表示ユニット２を正面上方から見た斜視図である。
【図６】画像表示ユニット２を正面左下方から見た斜視図である。
【図７】取付部５９に固定した係合部８４を背面右上方から見た斜視図である。
【図８】ＨＭＤ１０１の斜視図である。
【発明を実施するための形態】
【００２０】
以下、本発明の一実施形態について、図面を参照して説明する。参照する図面は、本発明が採用し得る技術的特徴を説明するために用いられるものである。図面に記載されている装置の構成は、それのみに限定する趣旨ではなく、単なる説明例である。
【００２１】
図１〜図３に示すように、ヘッドマウントディスプレイ（Head Mounted Display、以下、「ＨＭＤ」という。）１は、使用者の頭部に装着可能な光学透過型のＨＭＤである。使用者の眼前の景色の光は、ハーフミラー３５を透過することによって使用者の眼に直接導かれる。ＨＭＤ１の投影形式は、虚像投影型である。ハーフミラー３５は、液晶パネル（図示略）に表示された画像の光を、使用者の片側の眼に向けて反射させる。ＨＭＤ１は、使用者に対して、眼前の景色に画像を重ねて認識させることができる。ＨＭＤ１は、画像表示部３、アーム部４、装着具５、連結機構８，９を備える。画像表示部３、アーム部４および連結機構８，９は、装着具５に取り付け・取り外し可能な画像表示ユニット２を構成する。以下、図の説明の理解を助けるため、ＨＭＤ１の上側、下側、左側、右側、前側、後側を定義する。ＨＭＤ１の上側、下側、左側、右側は、例えば、図１の上側、下側、右側、左側に夫々対応する。ＨＭＤ１の前側、後側は、例えば、図２の下側、上側に夫々対応する。ＨＭＤ１の上側、下側、左側、右側、前側、後側は、夫々、装着具５が使用者に着用された場合における使用者基準の方向に対応する。
【００２２】
装着具５は、樹脂や金属（例えば、ステンレス）などの可撓性を有する材質で構成される。装着具５は、略環状に形成され、後側が開環する細長い板状部材である。本実施形態の装着具５の形状は、左右対称、且つ上下対称な形状である。以下では、便宜上、装着具５の構成を５つの部分に分けて説明する。装着具５は、中前部分５３、右前部分５４、右後部分５５、左前部分５６および左後部分５７を有する。
【００２３】
右前部分５４は、位置１２と位置１６との間で延びる部分である。位置１２は、位置１６よりも前側且つ左側に位置する。右前部分５４は、装着具５によって取り囲まれる領域１０の外側、即ち前側且つ右側へ向けて凸状に湾曲する。右後部分５５は、位置１６と位置１１との間で延びる部分である。位置１１は、位置１６よりも後側且つ左側に位置する。右後部分５５は右前部分５４に連続する。右後部分５５は、領域１０の外側、即ち後側且つ右側へ向けて凸状に湾曲する。言い換えると、右前部分５４と右後部分５５は、装着具５の構成を中前部分５３、右側部分５１および左側部分５２の３つの部分に分けた場合の右側部分５１を構成する。右側部分５１は、中前部分５３の右側に接続し、後側へ向けて延びる。右側部分５１は右側へ向けて凸状に湾曲する。
【００２４】
左前部分５６は、位置１４と位置１７との間で延びる部分である。位置１７は位置１６の左方に位置する。位置１４は位置１２の左方の位置で、位置１７よりも前側且つ右側に位置する。左前部分５６は、領域１０の外側、即ち前側且つ左側へ向けて凸状に湾曲する。左後部分５７は、位置１７と位置１３との間で延びる部分である。位置１３は位置１１の左方の位置で、位置１７よりも後側且つ右側に位置する。左後部分５７は左前部分５６に連続する。左後部分５７は、領域１０の外側、即ち後側且つ左側へ向けて凸状に湾曲する。言い換えると、左前部分５６と左後部分５７は、装着具５の左側部分５２を構成する。左側部分５２は、中前部分５３の左側に接続し、後側へ向けて延びる。左側部分５２は左側へ向けて凸状に湾曲する。
【００２５】
中前部分５３は、位置１４と位置１２との間で左右方向に延びる部分である。中前部分５３は、右前部分５４と左前部分５６との夫々に連続する。中前部分５３は、領域１０の外側、即ち前側へ向けて凸状に湾曲する。左右方向における装着具５の中央の位置２１には、前後方向における装着具５の最も前側の端部である先端部６１が配置される。位置１１，１３には、前後方向における装着具５の最も後側の端部６２，６３が夫々配置される。位置１６には、左右方向における装着具５の最も右側の端部６４が配置される。位置１７には、左右方向における装着具５の最も左側の端部６５が配置される。
【００２６】
装着具５は、装着時に使用者の頭部を挟んで保持する。右後部分５５と左後部分５７とが夫々使用者の側頭部を押圧し、且つＨＭＤ１の重みを支持するのに十分な押圧力を得られるように、装着具５の湾曲形状は部分ごとに異なる。位置１２は、中前部分５３の湾曲形状と、右前部分５４の湾曲形状との境界となる位置である。位置１４は、中前部分５３の湾曲形状と、左前部分５６の湾曲形状との境界となる位置である。また、位置１６には、右前部分５４の湾曲形状と右後部分５５の湾曲形状との境界が位置する。位置１７には、左前部分５６の湾曲形状と左後部分５７の湾曲形状との境界が位置する。
【００２７】
平面視で、装着具５の領域１０内を向く面に接する曲率円の径方向を、装着具５の厚み方向と定義する。装着具５の中前部分５３、右前部分５４および左前部分５６における厚み方向の大きさは、略同じ大きさである。右後部分５５および左後部分５７における厚み方向の大きさは、中前部分５３、右前部分５４および左前部分５６における厚み方向の大きさに対し、夫々、突出部６６，６７（後述）の厚み方向の大きさ分大きい。中前部分５３、右前部分５４および左前部分５６における上下方向の大きさは、略同じである。右後部分５５および左後部分５７における上下方向の大きさは、夫々、前側から後側へ向けて徐々に大きくなり、端部６２，６３近傍で最も大きく、端部６２，６３へ向けて徐々に小さくなる。
【００２８】
右後部分５５および左後部分５７には、夫々、領域１０内へ突出する突出部６６，６７が形成される。突出部６６，６７は、夫々、右後部分５５および左後部分５７の領域１０内を向く内面７０，７１を厚み方向に領域１０内へ向けて段状にせり出す形態で設けられている。故に内面７０，７１は、夫々、右後部分５５および左後部分５７の湾曲形状に沿う曲面状を呈する。従って突出部６６，６７の上下方向の大きさも、夫々、前側から後側へ向けて徐々に大きくなり、端部６２，６３近傍で最も大きく、端部６２，６３へ向けて徐々に小さくなる。
【００２９】
突出部６６，６７の突出方向（即ち、厚み方向）に対する側面には、夫々、突出方向に対する周方向に沿って溝状に延びる保持溝６８，６９が形成されている。保持溝６８，６９は、夫々、突出部６６，６７の周囲を一周して設けられる。突出部６６の上側の側面に開口する保持溝６８の部分と、下側の側面に開口する保持溝６８の部分は、夫々、右後部分５５の湾曲形状に沿って延びる。同様に、突出部６７の上側の側面に開口する保持溝６９の部分と、下側の側面に開口する保持溝６９の部分も、夫々、左後部分５７の湾曲形状に沿って延びる。
【００３０】
画像表示部３と外部機器（図示略）とを電気的に接続するケーブル３９（図２参照）は、画像表示部３から引き出される。ケーブル３９は、アーム部４および装着具５を伝って配線される。保持溝６８，６９は、ケーブル３９の装着具５において配線される部分を溝内に保持する。保持溝６８，６９の上下方向の大きさ（即ち、深さ）は、ケーブル３９の外径よりも大きい。故に保持溝６８，６９に保持された状態のケーブル３９は、保持溝６８，６９の開口部から溝外へ露出しない。画像表示部３から引き出されたケーブル３９は、アーム部４を伝い、アーム部４に近い側（例えば左側）の保持溝６９内に挿入される。ケーブル３９は、保持溝６９の前側の端部６９Ａから保持溝６９内に挿入される。ケーブル３９は、保持溝６９の部分のうち、突出部６７の上側の側面に開口する部分で、溝内を通して配線される。ケーブル３９は、保持溝６９に案内され、保持溝６９の後側の端部６９Ｂから装着具５の外部に引き出される。
【００３１】
装着具５は、装着時に使用者の頭部に当接するパッド７５〜７７を備える。パッド７５〜７７は、例えばシリコン樹脂等、弾性を有する樹脂で構成される。パッド７５は、中前部分５３において領域１０内を向く内面７２で、装着具５の左右方向中央の位置２１を含む部分に設けられる。パッド７５は、中前部分５３の湾曲形状に沿って左右方向に延び、厚み方向に沿って、内面７２から離間する方向（例えば、図２における後方）に突出する。パッド７５の上下方向の大きさは、中前部分５３における装着具５の上下方向の大きさと略同じ、もしくはそれより小さい。ＨＭＤ１の装着時、パッド７５は、使用者の額または前頭部に当接し、頭部において装着具５を位置決めする。
【００３２】
パッド７６，７７は、夫々、装着具５の右後部分５５の内面７０と左後部分５７の内面７１とに設けられる。パッド７６は、右後部分５５の湾曲形状に沿って延び、領域１０内へ向けて厚み方向に沿って突出する。右後部分５５の湾曲する向きに沿う方向においてパッド７６が延びる長さは、右後部分５５の長さよりも短い。パッド７６の上下方向の大きさは、右後部分５５の上下方向の大きさと略同じ、もしくはそれより小さい。また、パッド７６の上下方向の大きさは、中前部分５３、右前部分５４および左前部分５６における上下方向の大きさよりも大きい。本実施形態では、パッド７６は、内面７０において、右後部分５５の湾曲形状に沿う方向の略中央から端部６２にかけての部分に設けられている。パッド７７は、左後部分５７の湾曲形状に沿って延び、領域１０内へ向けて厚み方向に沿って突出する。左後部分５７の湾曲する向きに沿う方向においてパッド７７が延びる長さは、左後部分５７の長さよりも短い。パッド７７の上下方向の大きさは、左後部分５７の上下方向の大きさと略同じ、もしくはそれより小さい。また、パッド７７の上下方向の大きさは、中前部分５３、右前部分５４および左前部分５６における上下方向の大きさよりも大きい。本実施形態では、パッド７７は、内面７１において、左後部分５７の湾曲形状に沿う方向で略中央から端部６３にかけての部分に設けられている。
【００３３】
前述したように、装着具５は可撓性を有する。ＨＭＤ１の装着時、装着具５は、端部６２と端部６３とが領域１０の外側へ向けて（例えば、左右方向に向けて）、使用者の手によって押し広げられて離間される。装着具５が使用者の頭部へ嵌められた場合、パッド７５は、使用者の額または前頭部に当接することで、頭部において装着具５を前後方向に位置決めする。端部６２，６３の押し広げられた状態が解除されると、装着具５の右後部分５５と左後部分５７は、領域１０の内側へ向けて付勢される。パッド７６，７７は、夫々、使用者の右側頭部と左側頭部に当接する。右後部分５５の内面７０は、パッド７６を介し、使用者の右側頭部を押圧する。同様に、左後部分５７の内面７１は、パッド７７を介し、使用者の左側頭部を押圧する。装着具５の右後部分５５と左後部分５７とは、夫々使用者の側頭部を押圧する押圧力を得て、使用者の頭部を挟んで保持する。前述したように、上下方向に大きく形成された内面７０，７１は、使用者の側頭部に当接する面積が、中前部分５３の内面７２と比べて大きく確保されている。故に装着具５が使用者の頭部に装着された場合に、パッド７６，７７は、頭部との当接面積が増えることによって、頭部との間で大きな摩擦力を得る。摩擦面積が確保されたことによって、装着具５は、頭部における位置ずれの発生を抑制できる。また、パッド７６，７７は、使用者の側頭部に当接する面積がパッド７５に比べて大きい。故に、右後部分５５と左後部分５７は、夫々がパッド７６，７７を介して側頭部を押圧する押圧力を分散することができる。即ちＨＭＤ１は、使用者が後部側頭部に受ける単位面積あたりの押圧力を低減することができる。従って使用者は、側頭部に圧迫感を受けにくい。
【００３４】
装着具５の前後方向前側の先端部６１と、左右方向両側の端部６４，６５との間の部分には、夫々、取付部５８，５９が設けられる。取付部５８が設けられた位置１５Ａは、位置２１よりも右側で、且つ位置２２よりも前側の位置である。なお、前記したように、位置２２は前後方向における装着具５の中央に位置する。より詳細には、取付部５８が設けられた位置１５Ａは、装着具５において、パッド７５が設けられた部分と、突出部６６が設けられた部分との間における位置である。取付部５９が設けられた位置１５Ｂは、位置２１よりも左側で、且つ位置２２よりも前側の位置である。より詳細には、取付部５９が設けられた位置１５Ｂは、装着具５において、パッド７５が設けられた部分と、突出部６７が設けられた部分との間における位置である。装着具５は、取付部５８，５９に、装着具５とアーム部４とを連結する連結機構８を取り付けることができる。本実施形態では、連結機構８は取付部５９に取り付けられている。連結機構８については後述する。
【００３５】
取付部５８には、装着具５を厚み方向に貫通する２つの穴部５８Ａが形成されている（図１参照）。取付部５９にも同様に、装着具５を厚み方向に貫通する２つの穴部（図示略）が形成されている。穴部５８Ａにはネジ６０（図７参照）が挿通される。連結機構８は取付部５８，５９にネジ止めによって取り付けられる。即ち、画像表示部３、アーム部４、連結機構８，９を備える画像表示ユニット２は、取付部５８と取付部５９の一方を選択して取り付けることができる。画像表示ユニット２を取付部５８に取り付けた場合、画像表示部３は装着具５の右側に配置される。画像表示部３は画像光を使用者の右眼に入射させることができる。画像表示ユニット２を取付部５９に取り付けた場合、画像表示部３は装着具５の左側に配置される。画像表示部３は画像光を使用者の左眼に入射させることができる。
【００３６】
図４に示されるように、画像表示部３は、筐体３１内に、ハーフミラー３５、レンズユニット３６、画像ユニット３７を備える。筐体３１は、角が湾曲した略直方体状の形状を有する。筐体３１は、所定方向に長く延びる。筐体３１は中空箱状である。筐体３１が延びる方向における一方の端部である先端部３１Ａは開放する。また、筐体３１の他方の端部である基端部３１Ｂには、後方へ向けて突出する突出部３２が形成されている。突出部３２の後端には、前後方向に貫通する穴部（図示略）が形成されている。基端部３１Ｂにおいて、筐体３１の後面で突出部３２よりも右側の位置には、連結機構９の固定部９４が接続される。連結機構９については後述する。
【００３７】
基端部３１Ｂにおける筐体３１内には、画像ユニット３７が設けられる。画像ユニット３７は、周知の液晶パネル（図示略）と制御基板（図示略）を備える。液晶パネルは、左側面に画像を表示させて画像光を生成する。制御基板は液晶パネルの右側に配置される。制御基板にはケーブル３９が接続される。ケーブル３９は、突出部３２内を通り、突出部３２後端の穴部から画像表示部３の外部に引き出される。制御基板は、ケーブル３９を介して外部機器から送信された画像データを受信する。制御基板は、液晶パネルに制御信号を出力し、画像データに応じた画像を液晶パネルに表示させる。なお、液晶パネルの代わりに、Digital Mirror Device（ＤＭＤ）、有機ＥＬ等の二次元表示装置が用いられてもよい。また、液晶パネルの代わりに、２次元的に走査された光を使用者の網膜上に投影する網膜走査型の投影装置（Retinal Scanning Display）が用いられてもよい。
【００３８】
筐体３１内で、画像ユニット３７の右側には、レンズユニット３６が設けられる。レンズユニット３６は、画像ユニット３７から射出された画像光を通過させ、先端部３１Ａ側へ導く。レンズユニット３６は複数のレンズ（図示略）を備える。レンズユニット３６は、筐体３１に、左右方向へ移動可能に保持される。筐体３１の前面には、円錐台状で側面に複数の凹凸を有する操作部材３８が設けられている。操作部材３８は、溝カム（図示略）によって、レンズユニット３６に係合する。操作部材３８が回動されることによって、レンズユニット３６は先端部３１Ａ側または基端部３１Ｂ側へ向けて移動する。レンズユニット３６が左右方向に移動することによって、画像ユニット３７から出射された画像光の焦点距離が変化する。従って使用者は、操作部材３８を回動させることによってピント調節を行うことができる。
【００３９】
先端部３１Ａには、ハーフミラー３５が設けられる。ハーフミラー３５は矩形板状である。ハーフミラー３５は、反射面に入射した光の一部（例えば５０％）を反射させ、他部を透過させることができる。ハーフミラー３５の反射面は、例えば、透明な樹脂やガラスの基板上に、アルミや銀などの金属を所定の反射率（例えば５０％）となるように蒸着することで形成される。ＨＭＤ１の装着時、筐体３１の基端部３１Ｂは、先端部３１Ａよりも左側に配置される。即ち、画像表示部３は、左右方向に延びて配置された状態で使用される。ハーフミラー３５は、使用者の例えば左眼前方に配置される。ハーフミラー３５は、反射面を左側且つ後側へ向けた状態で、先端部３１Ａに固定される。筐体３１内の画像ユニット３７から出射される画像光は、レンズユニット３６を通過する際に集光される。集光された画像光は、ハーフミラー３５に入射する。ハーフミラー３５は、画像光を後側へ反射し、使用者の左眼に入射させる。使用者は、ハーフミラー３５によって反射された画像光に基づく虚像を視認できる。また、ハーフミラー３５は、前側から入射した外界の光を後側に透過することができる。
【００４０】
図１〜図３、図５、図６に示すように、アーム部４は、樹脂や金属などで構成され、棒状に延びる。アーム部４の上端部４Ａは、連結機構８によって装着具５に連結される。アーム部４の下端部４Ｂは、連結機構９によって画像表示部３に連結される。アーム部４は、装着具５から離隔した位置に画像表示部３を保持する。図１に示されるように、ＨＭＤ１の装着時、アーム部４の下端部４Ｂは、上端部４Ａの下側且つ左側に配置される。アーム部４は、領域１０の外部側へ向けて凸状に湾曲する。本実施形態では、アーム部４は、ＨＭＤ１装着時の左方へ向けて凸状に湾曲する。
【００４１】
図５，図６に示すように、アーム部４は、上端部４Ａに接続部４１を備える。接続部４１はアーム部４が連結機構８に接続する部分である。接続部４１は上端部４Ａにおいて、所定の方向Ｂ（図５参照）に沿って突出する。方向Ｂは、アーム部４が上端部４Ａから下端部４Ｂへ向けて延びる方向Ｃに対して傾斜する方向である。接続部４１には、方向Ｂに沿って延びる穴部（図示略）が形成されている。穴部には、連結機構８のボールスタッド８１（後述）の棒体が挿入される。即ち、ボールスタッド８１の棒体は、方向Ｂに沿って延びる。棒体が接続部４１に固定されることで、アーム部４は連結機構８に接続される。
【００４２】
連結機構８は、二軸以上の回転自由度を有する。本実施形態の連結機構８は、公知のボールジョイント式の可動部である。連結機構８は、ボールスタッド８１、ソケット収容部８２、固定ナット８３、係合部８４を備える。ボールスタッド８１は球体に棒体を接続した部品である。ソケット収容部８２は円筒形状で、内部にボールスタッド８１の球体に球面接触するソケット（図示略）を収容する。固定ナット８３は、ソケット収容部８２の開口部分に外嵌めし、締結することができる蓋体である。固定ナット８３には、ボールスタッド８１の棒体が挿通される挿通穴（図示略）が形成されている。ボールスタッド８１は、ソケットに接触する球体を支点に棒体が挿通穴内で移動できる範囲を可動範囲とする。図５に示されるように、棒体の軸が挿通穴の中心に位置する場合、ボールスタッド８１は可動範囲の中央に位置する。このとき、ボールスタッド８１の棒体の延びる方向、即ち接続部４１の延びる方向Ｂは、後述する方向Ａ（図１参照）に一致する。即ち、ボールスタッド８１の可動範囲は、例えば、方向Ａを中心軸とした、所定の立体角（即ち、円錐面の範囲内）である。固定ナット８３がソケット収容部８２に締結されると、ボールスタッド８１は、球体がソケットに押しつけられて、ソケット収容部８２に対して位置決めされる。
【００４３】
係合部８４は、ソケット収容部８２の固定ナット８３が嵌められる側とは反対側の端部（即ち、ソケット収容部９２の右側の端部）に設けられる。係合部８４は、装着具５の取付部５８，５９に、連結機構８を取り付ける部品である。図５〜図７に示すように、係合部８４は、上壁８５、内側壁８６、外側壁８７を備える。上壁８５は、取付部５８，５９における装着具５の側面のうち、ＨＭＤ１の頭部装着時に上側を向く上面に当接する部分である。上壁８５の形状は、装着具５の湾曲形状に沿って湾曲しながら延びる板状である。上壁８５の板面は平面状である。装着具５の上面には、上壁８５の下側の板面が当接する。装着具５の厚み方向における上壁８５の大きさは、装着具５の厚み方向の大きさに、内側壁８６と外側壁８７の厚みを加えた大きさである。外側壁８７は、取付部５８，５９における装着具５の側面のうち、領域１０内を向く内面とは反対側の外面に当接する部分である。外側壁８７の形状は板状である。装着具５の外面には外側壁８７の領域１０内側の板面が当接する。外側壁８７の板面は、装着具５の厚み方向に直交する。外側壁８７の領域１０内側の板面は、装着具５の外面と向き合って上下方向に緩やかに湾曲しながら前後方向に延びる。外側壁８７は、上壁８５の端部のうち、領域１０外側の端部から下方へ突出する。外側壁８７には、装着具５の厚み方向に貫通する２つの穴部８７Ａ（図６参照）が形成されている。内側壁８６は、取付部５８，５９における装着具５の側面のうち、領域１０内を向く内面に当接する部分である。内側壁８６の形状は、外側壁８７よりも前後方向に細幅の板状である。装着具５の内面には内側壁８６の領域１０外側の板面が当接する。内側壁８６の板面は、装着具５の厚み方向に直交する。内側壁８６は、上壁８５の端部のうち、領域１０内側の端部から下方へ突出する。内側壁８６は、装着具５の厚み方向において、外側壁８７の穴部８７Ａの形成範囲と重なる位置には、設けられていない。
【００４４】
係合部８４が取付部５８，５９に取り付けられるとき、係合部８４は、取付部５８，５９の上側から取付部５８，５９に配置される。内側壁８６と外側壁８７は、間に取付部５８，５９を挟む。係合部８４において、内側壁８６と、上壁８５の内側壁８６に接続する端部とが、装着具５よりも領域１０内に突出する。係合部８４が領域１０内に突出する大きさは、内側壁８６の厚み分の大きさである。装着具５の穴部５８Ａ（図１参照）と、外側壁８７の穴部８７Ａには、領域１０内側からネジ６０が挿通される。外側壁８７は、領域１０外側の板面で、穴部８７Ａの形成位置に、ナット（図示略）を収容する袋状の収容部８７Ｂを有する。収容部８７Ｂ内のナットにネジ６０が締結されることによって、係合部８４は、取付部５８，５９に固定される。締結後のネジ６０の頭の厚みは、内側壁８６の厚みよりも小さい。締結後のネジ６０は、装着具５の厚み方向において、内側壁８６よりも領域１０内に突出しない。
【００４５】
図５、図６に示すように、アーム部４は、下端部４Ｂに接続部４２を備える。接続部４２はアーム部４が連結機構９に接続する部分である。接続部４２は下端部４Ｂにおいて、接続部４１と略同じ方向Ｂに沿って突出する。接続部４２にも穴部（図示略）が形成されている。穴部には、連結機構９のボールスタッド９１（後述）の棒体が挿入される。即ち、ボールスタッド９１の棒体は、方向Ｂに沿って延びる。棒体が接続部４２に固定されることで、アーム部４は連結機構９に接続される。
【００４６】
連結機構９は、二軸以上の回転自由度を有する。図４、図５に示すように、本実施形態の連結機構９は、連結機構８と同様に、公知のボールジョイント式の可動部である。連結機構９は、ボールスタッド９１、ソケット収容部９２、固定ナット９３、固定部９４を備える。ボールスタッド９１、ソケット収容部９２および固定ナット９３の構成は、連結機構８と同様である。ボールスタッド９１の棒体の軸が固定ナット９３の挿通穴（図示略）の中心に位置する場合、ボールスタッド９１は可動範囲の中央に位置する。このとき、ボールスタッド９１の棒体の延びる方向、即ち接続部４２の延びる方向Ｂは、方向Ａ（後述）に一致する。即ち、ボールスタッド９１の可動範囲も、例えば、方向Ａを中心軸とした、所定の立体角（即ち、円錐面の範囲内）である。
【００４７】
固定部９４は、ソケット収容部９２の固定ナット９３が嵌められる側とは反対側の端部に設けられる。固定部９４は、画像表示部３に連結機構９を固定する部品である。固定部９４は、第一固定部９５、第二固定部９６、段状接続部９７を備える。第一固定部９５は、ソケット収容部９２に接続する。第一固定部９５は、突出部３２の後側に位置する。ソケット収容部９２が接続される第一固定部９５の左端は、突出部３２の左端よりも僅かに左側に位置する。第二固定部９６は、第一固定部９５よりも前方且つ右方に位置する。第二固定部９６は、画像表示部３の後面で突出部３２の右側に位置する。第二固定部９６は、画像表示部３に接続する。例えば、第二固定部９６は、前後方向において、ハーフミラー３５よりも後側で、画像表示部３の基端部３１Ｂに接続する。段状接続部９７は、第一固定部９５と第二固定部９６を段状に接続する。段状接続部９７は、第一固定部９５の前側部分から突出部３２の後端を左右方向に横切って延びる。段状接続部９７は、更に、突出部３２の右側で突出部３２に沿って、第二固定部９６の左側部分まで延びる。段状接続部９７が突出部３２後端を横切る部分には、前後方向に貫通する穴部９７Ａが形成されている。穴部９７Ａには突出部３２後端の穴部から引き出されたケーブル３９が挿通されている。
【００４８】
上記構成のＨＭＤ１は、画像表示ユニット２を取付部５８に取り付け、連結機構８，９が夫々可動範囲の中央にあるとき、以下に説明する形態を呈する。図１、図２に示すように、取付部５９が設けられた位置１５Ｂを通り、領域１０内から外部へ向かう方向を、方向Ａと定義する。連結機構８は、装着具５よりも方向Ａにおける領域１０の外部側に突出して設けられる。アーム部４の上端部４Ａは、連結機構８よりも方向Ａにおける領域１０の外部側で連結機構８に接続される。アーム部４の下端部４Ｂは、上端部４Ａの下側に配置される。連結機構９は、画像表示部３の後側で画像表示部３の基端部３１Ｂに接続する。画像表示部３の筐体３１は、左右方向に延びて配置されるので、先端部３１Ａは、基端部３１Ｂの右方に配置される。ハーフミラー３５は、使用者の左眼の眼前に配置される。
【００４９】
ＨＭＤ１の装着時、装着具５のパッド７５は、使用者の額または前頭部に当接する。パッド７５は中前部分５３の湾曲形状に沿って湾曲するため、使用者の額または前頭部の形状に馴染む。パッド７６，７７は、使用者の側頭部に夫々当接する。パッド７６，７７は、夫々、右後部分５５と左後部分５７の湾曲形状に沿って湾曲するため、使用者の側頭部の形状に馴染む。右後部分５５と左後部分５７が使用者の側頭部を押圧する押圧力を得るため、装着具５の右前部分５４と左前部分５６は、中前部分５３、右後部分５５および左後部分５７よりも大きい曲率で湾曲する。右後部分５５と左後部分５７は、使用者の頭部の湾曲形状よりも大きい曲率で湾曲する。故に、装着具５は、パッド７５が設けられた部分と、パッド７６，７７が設けられた部分の間の部分において、使用者の頭部の形状には馴染まず、頭部との間に間隙を有する。故に、パッド７５とパッド７６，７７の間に設けられた取付部５８，５９に固定される連結機構８の係合部８４は、使用者の頭部に接触しにくい。
【００５０】
本実施形態では、以下の規定を設けることによって、ＨＭＤ１は、更に、係合部８４と使用者の頭部とが接触しにくい構造を実現する。本実施形態では、係合部８４は取付部５９に固定される。図２に示すように、装着具５の湾曲形状に沿う長さで、パッド７５が設けられた部分と位置１５Ｂとの間の長さをＬ１とする。装着具５の湾曲形状に沿う長さで、位置１５Ｂとパッド７７が設けられた部分との間の長さをＬ２とする。この場合に、ＨＭＤ１は、Ｌ１＜Ｌ２を満たす。即ち、位置１５Ｂは、パッド７７が設けられた部分よりもパッド７５が設けられた部分に近い位置である。装着時に右後部分５５と左後部分５７は、使用者の側頭部を押圧する押圧力を得るため、パッド７６，７７をパッド７５よりも大きく弾性変形させる。変形の小さなパッド７５に近い位置に取付部５９が設けられたことによって、係合部８４は、ＨＭＤ１装着時に使用者の頭部に近づきにくい。
【００５１】
取付部５９に固定された係合部８４は、前述したように、内側壁８６の厚み分、領域１０内に突出する。係合部８４が取付部５９における装着具５の内面から領域１０内へ向けて厚み方向に突出する大きさを、突出量Ｐ１とする。パッド７５が中前部分５３における内面７２から領域１０内へ向けて厚み方向に突出する大きさを、突出量Ｐ２とする。この場合に、ＨＭＤ１は、Ｐ１＜Ｐ２を満たす。即ちパッド７５の突出先端は、係合部８４よりも領域１０の内側に位置する。故に装着時、ＨＭＤ１は、パッド７５によって係合部８４と使用者の頭部との間に間隙を設けることができる。
【００５２】
パッド７７が左後部分５７の内面７１から領域１０内へ向けて厚み方向に突出する大きさを、突出量Ｐ３とする。内面７１は、突出部６７の突出先端に位置する。この場合に、ＨＭＤ１は、Ｐ１＜Ｐ３を満たす。係合部８４を突出量の大きなパッド７５とパッド７７の間に配置することによって、ＨＭＤ１は、係合部８４と使用者の頭部との間に間隙を設けることができる。
【００５３】
突出部６７が左後部分５７から領域１０内へ向けて厚み方向に突出する大きさを、突出量Ｐ４とする。この場合に、ＨＭＤ１は、Ｐ１＜Ｐ４を満たす。ＨＭＤ１は、パッド７７が弾性変形しても、係合部８４よりも突出量の大きな突出部６７によって、係合部８４と使用者の頭部との間に間隙を設けることができる。
【００５４】
以上説明したように、装着具５の中前部分５３に設けたパッド７５は、使用者の前頭部に当接する。装着具５において画像表示部３およびアーム部４が接続される取付部５９の位置１５Ｂは、使用者の前頭側頭部に位置する。取付部５９に係合する連結機構８の係合部８４が領域１０内側、即ちＨＭＤ１装着時の頭部側に突出する突出量Ｐ１は、パッド７５が頭部側に突出する突出量Ｐ２よりも小さい。故に、係合部８４は、ＨＭＤ１の装着時に使用者の頭部に接触しにくい。
【００５５】
連結機構８の係合部８４がＨＭＤ１装着時の頭部側に装着具５から突出する突出量Ｐ１は、パッド７７が頭部側に突出する突出量Ｐ３よりも小さい。取付部５９の位置１５Ｂは、パッド７５が設けられた部分とパッド７７が設けられた部分との間に位置する。故に、係合部８４は、ＨＭＤ１の装着時に使用者の頭部に接触しにくい。
【００５６】
ＨＭＤ１は、装着時に、パッド７７が設けられた部分とパッド７６が設けられた部分とで頭部を挟み、パッド７７とパッド７６を夫々後頭側頭部に当接させて押圧力を得ることで、頭部に装着される。これに対してパッド７５は前頭部に当接し、頭部において装着具５を位置決めする。よって、パッド７７とパッド７６は、パッド７５よりも大きく弾性変形する可能性がある。故に、特定位置をパッド７５に近い位置に設けることで、係合部８４は、ＨＭＤ１の装着時に使用者の頭部に接触しにくい。
【００５７】
係合部８４が領域１０内に突出する突出量Ｐ１は、突出部６７が領域１０内に突出する突出量Ｐ４よりも小さい。故に、突出部６７における装着具５の内面に設けたパッド７７が装着時に弾性変形しても、突出部６７よりも突出量の小さな係合部８４は頭部に接触しにくい。
【００５８】
位置１５Ｂに設けた取付部５９に係合部８４を固定することによって、係合部８４はＨＭＤ１の使用中に位置１５Ｂからずれたりすることがない。故に係合部８４は、ＨＭＤ１の装着時に使用者の頭部に接触しにくい。
【００５９】
ＨＭＤ１の装着後に使用者に対する画像表示部３の配置位置が変更された場合、装着具５はアーム部４の揺動に伴うトルクを受けて、元の装着位置に対して位置ずれする可能性がある。パッド７５が係合部８４よりも頭部側に突出するので、装着具５が位置ずれしても、係合部８４は使用者の頭部に接触しにくい。
【００６０】
装着具５は、後側が閉環し、前側が開環する。ＨＭＤ１は、頭部に装着されるとき、装着具５の開環側が広げられ、閉環側が位置決めされてから開環側で側頭部を押さえる形態で装着される。取付部５９が設けられた位置１５Ｂは、前後方向中央の位置２２よりも前側に位置し、即ち装着具５の閉環する側に近い。故に、ＨＭＤ１は、閉環側に画像表示部３を配置するので、頭部に対する画像表示部３の位置決めを行いやすい。
【００６１】
ＨＭＤ１の装着時に、装着具は、各部分が使用者の頭部形状にフィットし、頭部を確実に保持するので、装着位置のずれが抑制される。
【００６２】
なお、本発明は上記実施形態に限定されず、種々の変更が可能である。保持溝６８，６９を有する突出部６６，６７は、なくてもよい。パッド７５〜７７は、夫々、複数あって、装着具５の湾曲する向きに沿う方向において断続的に配置されてもよい。ハーフミラー３５の代わりに、外界の光を透過せず、入射した画像光を実質的に全反射する反射部材が用いられてもよい。ハーフミラー３５の代わりに、プリズム、回折格子等の光路偏向部材が用いられてもよい。連結機構８，９は、ボールジョイント式の可動部でなくてもよい。例えば、２つ以上のヒンジを組み合わせるなどして、夫々、二軸以上の回転自由度を有する可動部であればよい。装着具５は、全体が湾曲する構成でなくてもよい。装着具５の湾曲する部分は装着具５の一部であってもよい。方向Ａは、左右方向に沿う方向に限らず、位置１５Ａまたは位置１５Ｂを通り、領域１０内から外部へ向かう方向であればよい。
【００６３】
装着具５は環状でもよい。即ち、位置１２と位置１４との間で延びる中前部分５３だけでなく、位置１１と位置１３との間にも延びる部分があってもよい。あるいは、図８に示すＨＭＤ１０１のように、装着具１０５は、前側が開環する略環状の形状を有してもよい。即ち、装着具１０５は、位置１２と位置１４の間が開環し、位置１１と位置１３との間に延びる部分があってもよい。
【００６４】
本実施形態では、パッド７５より左側の位置１５Ｂに設けた取付部５９に連結機構８の係合部８４を固定したが、パッド７５より右側の位置１５Ａに設けた取付部５８に係合部８４を固定してもよい。この場合のパッド７６、突出部６６の構成は、夫々、パッド７７、突出部６７の構成と同様である。
【００６５】
上記実施形態において、前後方向は、本発明の「第一方向」に相当する。左右方向は、本発明の「第二方向」に相当する。上下方向は、本発明の「第三方向」に相当する。位置１１は、本発明の「第一位置」に相当する。位置１２は、本発明の「第二位置」に相当する。位置１３は、本発明の「第三位置」に相当する。位置１４は、本発明の「第四位置」に相当する。位置１５Ｂは、本発明の「特定位置」に相当する。位置１６は、本発明の「第五位置」に相当する。位置１７は、本発明の「第六位置」に相当する。位置２２は、本発明の「第一方向における中央の位置」に相当する。右側部分５１は、本発明の「第一部分」に相当する。左側部分５２は、本発明の「第二部分」に相当する。中前部分５３は、本発明の「第三部分」に相当する。右後部分５５は、本発明の「第四部分」に相当する。右前部分５４は、本発明の「第五部分」に相当する。左後部分５７は、本発明の「第六部分」に相当する。左前部分５６は、本発明の「第七部分」に相当する。
【００６６】
画像表示部３は、本発明の「画像表示装置」に相当する。上端部４Ａは、本発明の「一端部」に相当する。下端部４Ｂは、本発明の「他端部」に相当する。連結機構８は、本発明の「連結機構」に相当する。パッド７５は、本発明の「第一当て部」に相当する。パッド７７は、本発明の「第二当て部」に相当する。パッド７６は、本発明の「第三当て部」に相当する。ボールスタッド８１は、本発明の「接続部」に相当する。取付部５９は、本発明の「位置決め部」に相当する。
【符号の説明】
【００６７】
１                                    ＨＭＤ
３                                    画像表示部
４                                    アーム部
４Ａ                                  上端部
４Ｂ                                  下端部
５                                    装着具
８                                    連結機構
１０                                  領域
１１，１２，１３，１４，１５Ｂ，
１６，１７，２２                      位置
５１                                  右側部分
５２                                  左側部分
５３                                  中前部分
５４                                  右前部分
５５                                  右後部分
５６                                  左前部分
５７                                  左後部分
５９                                  取付部
６１                                  先端部
６７                                  突出部
６９                                  保持溝
７５，７６，７７                      パッド
８１                                  ボールスタッド
８４                                  係合部
【図１】
2016063272.tif 000003
【図２】
2016063272.tif 000004
【図３】
2016063272.tif 000005
【図４】
2016063272.tif 000006
【図５】
2016063272.tif 000007
【図６】
2016063272.tif 000008
【図７】
2016063272.tif 000009
【図８】
2016063272.tif 000010